(57)【特許請求の範囲】
【請求項１】
左右のケース側面を互いに隣接させて一列に連装可能であるとともに、ケース前面又は後面のいずれかから光ファイバをケース内に引き込むようにしたファイバ型光電センサのファイバ固定構造であって、
前記ケース前面または後面の何れかを構成する壁体ブロックには、
ケース高さ方向へ適当な間隔を隔てて設けられ、かつそれぞれケース内外を貫通する複数個のファイバ挿通孔と、前記ファイバ挿通孔に挿通されるファイバをケースに固定するためのクランプ機構とが設けられ、
前記クランプ機構は、前記ファイバ挿通孔に挿通されるファイバの高さ方向隣接間隔に対応する段差を有する個別台部のそれぞれがファイバ挿通方向に沿って階段状に配置され、かつ各個別台部のそれぞれが、挿通されるファイバのそれぞれを下からあてがって支持する階段状支持台部と、
前記階段状支持台部の上方にファイバ挿通方向に沿って配置され、それぞれ独立に上下動自在にガイドされ、かつ、それぞれに設けられる押圧端部において前記ファイバ挿通孔に挿通されたファイバのうちの対応するものを前記階段状支持台部のうちの該押圧端部の下方に位置する個別台部に押しつけて固定する複数個の押圧子と、
前記押圧子の夫々に対応して壁体ブロックに設けられ、かつその回動により前記押圧子を上下動させる複数個の操作レバーと、を具備し、
前記階段状支持台部および前記押圧子には、壁体ブロックのファイバ貫通に干渉しないための逃げ加工が適宜に施され、
逃がし加工として、階段状支持台部には、各個別台部にて支持される光ファイバを各ファイバ毎に自身へ挿通させるための支持台部側逃がし孔が設けられ、
押圧子には、対応する操作レバーと自身の最下端との間に位置する１又は複数本の光ファイバをそれぞれ上下方向への余裕を持たせつつ各ファイバ毎に自身へ挿通させるための押圧子側逃がし孔が、それぞれ設けられ、
それにより、複数個の操作レバーの内の一つを選択して操作することにより、ファイバ挿通孔に挿通される複数本のファイバを適宜に分割して別個にクランプ可能としたことを特徴とするファイバ型光電センサのファイバ固定構造。
【請求項２】
階段状支持台部の個別台部には、支持すべきファイバの胴周形状に対応する円弧状の溝がその上面に形成されている、ことを特徴とする請求項１に記載のファイバ型光電センサのファイバ固定構造
【請求項３】
各押圧子は、操作レバーと接触する係止突起とカムフォロアとをその上部に有してなり、
各操作レバーは、その両端をケース連装方向に向けて壁体ブロックの対向する一側面に枢支される軸部と、該軸部を支点として回動されるアーム部と、押圧子の係止突起と係合され、アーム部の起立動作に連動して押圧子を引き上げる爪部と、前記操作レバーのカムフォロアに当接し、アーム部の倒動作に連動して押圧子を押し下げるカムと、を有してなり、
軸部のそれぞれは、対応するそれぞれの押圧子の上方に位置してファイバ挿通方向に並べて取り付けられ、
アーム部のそれぞれは、各操作レバーが所定位置に取り付けられた状態において、相互間非干渉で動作可能とされている、ことを特徴とする請求項１又は２に記載のファイバ型光電センサのファイバ固定構造。
【請求項４】
操作レバーのアーム部は、倒状態においては、その先端が壁体ブロックの前面上縁部に位置し、かつ、いずれのアーム部の動作領域もが重なり合わないようにケース連装方向に並べて設けられている、ことを特徴とする請求項３に記載のファイバ型光電センサのファイバ固定構造。
【請求項５】
各押圧子は、操作レバーと接触する係止突起とカムフォロアとをその上部に有してなり、
各操作レバーは、その両端をケース連装方向に向けて壁体ブロックの対向する一側面に枢支される軸部と、該軸部を支点として回動されるアーム部と、押圧子の係止突起と係合され、アーム部の起立動作に連動して押圧子を引き上げる爪部と、前記操作レバーのカムフォロアに当接し、アーム部の倒動作に連動して押圧子を押し下げるカムと、を有してなる同一形状の操作レバーとされ、
各操作レバーの軸部のそれぞれは、対応するそれぞれの押圧子の上方に位置してファイバ挿通方向に並べて取り付けられている、ことを特徴とする請求項１乃至４の何れかに記載のファイバ型光電センサのファイバ固定構造。
【請求項６】
操作レバーは、それぞれのアーム部先端が前方に向けられ、かつ、それぞれのアーム部先端位置が後方に位置する操作レバーほど高くなるように階段状に取り付けられている、ことを特徴とする請求項５に記載のファイバ型光電センサのファイバ固定構造。
【発明の詳細な説明】
【０００１】
【発明の属する技術分野】
この発明は、例えば、ＤＩＮレール等の取り付け具を介して複数のケースが一列横隊で密接配置されるファイバ型光電センサへの適用に好適なファイバ固定構造に係り、特に、ケースの高さ方向に適当な間隔を隔てて引き込まれる複数本のファイバを適宜に分割して別個にクランプ可能としたファイバ型光電センサのファイバ固定構造に関する。
【０００２】
【従来の技術】
ファイバ型光電センサのファイバ固定構造としては、例えば、特開平０８−１９５１５１号公報に示されるものが知られている。
【０００３】
この公報には、２箇所に押圧端部（７，８）を有する１つの押圧子（５）を、操作レバー（１０）の上下操作に基づきホルダ（１）内部で上下に摺動させることにより、光電センサのケース高さ方向に適当な間隔を隔てて一列に挿入される投・受光用の２本のファイバを１組として一括して固定及び解除可能としたファイバ固定構造が開示されている。
【０００４】
ところで、一般に、この種のファイバ型光電センサは、図２３に示されるように、投・受光用ファイバ（ａ，ｂ）が引き込まれるケース（ｃ）が、ＤＩＮレール（ｄ）等を介して複数横並びに隣接配置されて使用される。そのため、センサの設置数が増えれば、ケースの設置スペースもそれに比例してＤＩＮレールに沿う横方向に増加することとなる。
【０００５】
ファイバ型光電センサにおけるこのような横方向への設置スペースの増加は、例えば、図２４に示すように、複数組のファイバ挿通孔（ｅ１〜ｅ４）を１つのケース（ｆ）に横並びに設けて複数組のファイバを一括収容することで若干ながらも抑制することが可能である。しかしながら、極めて幅狭な空間に複数のケースを設置せねばならないような場合も多々あり、更なる設置スペースの抑制化が求められている。
【０００６】
【発明が解決しようとする課題】
このような設置スペースの抑制を実現するため、例えば、複数本のファイバをケースの高さ方向に一列に挿入するようにした光電センサが考えられる。この場合、ファイバ固定構造としては、上記公報の技術を応用したもの、すなわち、所定の複数箇所に押圧端部並びに挿通孔を有する１つのクランプ部材と、該クランプ部材に対応して設けられる１つの操作レバーとで、それら複数本のファイバを一括固定するようにしたものを適用することができる。
【０００７】
このような光電センサであれば、センサ設置スペースの横方向への増加を大幅に抑制することが可能となる。しかしながら、一方で、このようなファイバ固定構造では、ファイバを固定する押圧子が１つのみであるため、ファイバ本数が多くなるに従い、各ファイバへの押圧力にばらつきが生じ、それによりファイバ抜けや固定不良と言った新たな問題が生じることが想定される。
【０００８】
この発明の目的とするところは、ケースの高さ方向に適当な間隔を隔てて引き込まれる複数本のファイバを適宜に分割して別個にクランプ可能としたファイバ型光電センサのファイバ固定構造を提供することにある。
【０００９】
この発明の他の目的とするところは、ケースの高さ方向に適当な間隔を隔てて引き込まれる複数組のファイバを各組毎にクランプ可能としたファイバ型光電センサのファイバ固定構造を提供することにある。
【００１０】
この発明のさらに他の目的乃至作用効果については、以下の明細書の記載を参照することにより、当業者であれば容易に理解されるであろう。
【００１１】
【課題を解決するための手段】
上記の目的を達成するために、本発明のファイバ型光電センサのファイバ固定構造は、対向する一対のケース側面を互いに隣接させて一列に連装可能であるとともに、他の対向する一対のケース側面のいずれかから光ファイバをケース内に引き込むようにしたファイバ型光電センサのファイバ固定構造であって、前記他の一対のケース側面の何れかを構成する壁体ブロックには、取り付け面から見て、ケース高さ方向へ適当な間隔を隔てて設けられ、かつそれぞれケース内外を貫通する複数個のファイバ挿通孔と、前記ファイバ挿通孔に挿通される光ファイバをケースに固定するためのクランプ機構とが設けられ、前記クランプ機構は、前記ファイバ挿通孔に挿通される光ファイバの高さ方向隣接間隔に対応する段差を有する個別台部のそれぞれがファイバ挿通方向に沿って階段状に配置され、かつ各個別台部のそれぞれが、挿通される光ファイバのそれぞれを下からあてがって支持する階段状支持台部と、前記階段状支持台部の上方にファイバ挿通方向に沿って配置され、それぞれ独立に上下動自在にガイドされ、かつ、それぞれに設けられる押圧端部において前記ファイバ挿通孔に挿通された光ファイバのうちの対応するものを前記階段状支持台部の対応する個別台部に押しつけて固定する複数個の押圧子と、前記押圧子の夫々に対応して壁体ブロックに設けられ、かつその回動により前記押圧子を上下動させる複数個の操作レバーと、を具備し、前記階段状支持台部および前記押圧子には、壁体ブロックのファイバ貫通に干渉しないための逃がし加工が適宜に施され、それにより、複数個の操作レバーの内の一つを選択して操作することにより、ファイバ挿通孔に挿通される複数本の光ファイバを適宜に分割して別個にクランプ可能としたことを特徴とする。
【００１２】
ここで、『階段状支持台部および押圧子には、壁体ブロックのファイバ貫通に干渉しないための逃がし加工が適宜に施され』とあるが、‘適宜に（施され）’としたのは、‘逃がし加工’が、必ずしも全ての押圧子に設けられる必要がないことを示唆するためである。すなわち、例えば、ファイバ一本のみを押圧するためのものであって、それ以外のファイバの挿通を許容する必要のない箇所に配置される押圧子がある場合には、当該押圧子については、特に‘逃がし部’を設ける必要もないであろう。
【００１３】
また、『押圧子』は、それぞれがファイバを一本ずつクランプするものであってもよいし、例えば、ファイバ挿通方向と平行な押圧面をそれぞれ下方に向けてなる複数個の押圧端部を有し、対応する数のファイバを同時に押圧する階段状押圧子が含まれるようにしてもよい。
【００１４】
上述の基本構造によれば、複数本のファイバがケース高さ方向に収容（挿入）されるから、センサ設置スペースの横方向への増加を大幅に抑制することができる。加えて、それら挿入された複数本のファイバは、複数個の押圧子により適宜に分割されて別個にクランプされるから、全てのファイバを一括クランプするような場合に比して、各ファイバに対する押圧力のばらつき或いは引っ張り強度のばらつきを抑制し、各ファイバをバランス良くクランプすることができる。そのため、不意のファイバ抜けや固定不良等の問題を解消することができる。
【００１５】
尚、上述の『逃がし加工』としては、種々の態様のものが考えられるが、好ましい一例では、逃がし加工として、階段状支持台部には、各個別台部にて支持される光ファイバを各ファイバ毎に自身へ挿通させるための支持台部側‘逃がし孔’が設けられ、押圧子には、対応する操作レバーと自身の最下端との間に位置する１又は複数本の光ファイバをそれぞれ上下方向への余裕を持たせつつ各ファイバ毎に自身へ挿通させるための押圧子側‘逃がし孔’が、それぞれ設けられる。
【００１６】
このような態様によれば、各ファイバは、対応する‘逃がし孔’に各々挿通されるから、例えば、所定枠内に複数本のファイバを一括してくぐらせる（挿通させる）ような場合に比して、ファイバをクランプ機構内で安定維持させることができる。加えて、押圧子側の‘逃がし孔’は、余裕を持って設けられているから、該押圧子を上下動させた場合にも、ファイバが無理に引っ張られることがなく、安定したクランプを行うことができる。
【００１７】
ここで、更に好ましくは、複数本のファイバを同時押圧する押圧子を使用する場合、当該押圧子の‘逃がし孔’を形成する押圧子壁には、複数ファイバを同時押圧する際、それら各ファイバ間を隔てる押圧子壁に適宜の撓みを生じさせる‘切り欠き’が設けられる。
【００１８】
このような態様によれば、各ファイバへの押圧力が当該‘撓み’により自然調整され、より一層バランス良く各ファイバをクランプすることができる。
【００１９】
本発明において、好ましくは、押圧子端部には、固定すべきファイバの胴周形状に対応する断面円弧状の溝が形成される。
【００２０】
このような態様によれば、各ファイバを押圧子により上方から包み込むように無理なく押圧することができる。尚、『円弧状の溝』とあるが、これは「胴周形状に対応する」とあるように、ファイバの胴周形状に必ずしも一致するものでなくともよい。
【００２１】
また、ここで言う‘円弧状の溝’は、階段状支持台部の個別台部の上面にも、支持すべきファイバの胴周形状に対応して設けることができる。このような態様によれば、各ファイバを上下両方向から包み込むように無理なく押圧することができるから、押圧に伴うファイバの変形・損傷等の心配もない。
【００２２】
また、本発明において、好ましくは、各押圧子は、操作レバーと接触する係止突起とカムフォロアとをその上部に有してなり、各操作レバーは、その両端をケース連装方向に向けて壁体ブロックの対向する一側面に枢支される軸部と、該軸部を支点として回動されるアーム部（操作片）と、押圧子の係止突起と係合され、アーム部の起立動作に連動して押圧子を引き上げる爪部と、前記操作レバーのカムフォロアに当接し、アーム部の倒動作に連動して押圧子を押し下げるカムと、を有してなり、軸部のそれぞれは、対応するそれぞれの押圧子の上方に位置してファイバ挿通方向に並べて取り付けられ、アーム部のそれぞれは、各操作レバーが所定位置に取り付けられた状態において、相互間非干渉で動作可能とされる。
【００２３】
ここで、『相互間非干渉で動作可能』とあるが、これは、ファイバの脱着の際必要となる各アーム部の最小動作領域内では、隣接するアーム部との接触・衝突がないように各アーム部が設けられていることを意味している。
【００２４】
すなわち、このような態様によれば、他のアーム部の状態（起立・倒）に拘わらず、それぞれのアーム部を独立して動作させることができるから、ファイバの脱着自由度が確保される。
【００２５】
ここで、好ましくは、操作レバーのアーム部は、倒状態においては、その先端が壁体ブロックの前面上縁部に位置し、かつ、いずれのアーム部の動作領域もが重なり合わないようにケース連装方向に並べて設けられる。
【００２６】
このような態様によれば、各アーム部を独立して操作可能であることに加え、ファイバクランプ時にはアーム部先端がケース前面上縁部に横並びで配置されるから、複数の中から任意のアーム部を選択してクランプ解除操作する際の指の引っ掛け等が容易となる。
【００２７】
また、本発明において、好ましくは、各押圧子は、操作レバーと接触する係止突起とカムフォロアとをその上部に有してなり、各操作レバーは、その両端をケース連装方向に向けて壁体ブロックの対向する一側面に枢支される軸部と、該軸部を支点として回動されるアーム部（操作片）と、押圧子の係止突起と係合され、アーム部の起立動作に連動して押圧子を引き上げる爪部と、前記操作レバーのカムフォロアに当接し、アーム部の倒動作に連動して押圧子を押し下げるカムと、を有してなる同一形状の操作レバーとされ、各操作レバーの軸部のそれぞれは、対応するそれぞれの押圧子の上方に位置し、それらがファイバ挿通方向に並べて取り付けられる。
【００２８】
このような態様によれば、押圧子の数（ファイバ数）に拘わらず、操作レバーは一種のみ用意すればよいから、操作レバーの製作に係る費用を削減することができる。加えて、いずれかの操作レバーの紛失・故障発生時等にも、同一のスペアで対応できるから便利である。
【００２９】
ここで、より好ましくは、操作レバーは、それぞれのアーム部先端が前方に向けられ、かつ、それぞれのアーム部先端位置が後方に位置するものほど高くなるように階段状に取り付けられる。
【００３０】
このような態様によれば、各操作レバーの先端が、前に位置する操作レバーに隠されることなく露出されるから、操作時における操作レバーへの指の引っ掛け等が容易となる。
【００３１】
【発明の実施の形態】
以下に、本発明に係るファイバ型光電センサのファイバ固定構造の好適な実施の一形態を添付図面を参照しつつ詳細に説明する。
【００３２】
本発明が適用されたファイバ型光電センサ（第１実施形態）が図１に示されている。
【００３３】
同図に示されるように、このファイバ型光電センサ１は、投光用ファイバと受光用ファイバの２本を１組として２組の光ファイバ２（Ａ１，Ａ２，Ｂ１，Ｂ２）が引き込まれるセンサケース１０を有してなる。センサケース１０の底部には、ＤＩＮレール嵌合溝１１が設けられており、このレール嵌合溝１１をＤＩＮレール４に嵌め込むことで、複数のセンサケース１０がそれぞれのケース側面を互いに隣接させてＤＩＮレールに沿って一列横隊で連装される。
【００３４】
同図中右側に示されるセンサケース１０の前端面（ファイバ取り付け面）１０１には、センサケース１０の内外を貫通する４つのファイバ挿通孔１００ａ〜１００ｄがケース高さ方向に均等な間隔で設けられており、それらファイバ挿通孔１００ａ〜１００ｄには、上から順に光ファイバＡ１，Ａ２，Ｂ１，Ｂ２がそれぞれ挿通される。この例では、光電センサ１は、投光用ファイバＡ１と受光用ファイバＡ２を１組として使用するＣＨＡ（チャンネルＡ）と、投光用ファイバＢ１と受光用ファイバＢ２を１組として使用するＣＨＢ（チャンネルＢ）との２チャンネル仕様とされている。尚、各チャンネルをいかなる用途に使用するかについては、本発明の要部とは直接関係しないためここでの説明は省略する。
【００３５】
ファイバ取り付け面１０１を構成する壁体ブロックには、前記ファイバ挿通孔１００に挿通される２組の光ファイバ２（Ａ１，Ａ２，Ｂ１，Ｂ２）をセンサケース１０に固定するためのクランプ機構３が設けられている。尚、同図には、クランプ機構３を構成する操作レバー（前方操作レバー３４，後方操作レバー３５）及びホルダ３０の一部分が示されている。クランプ機構３についての詳細は後述する。
【００３６】
同図中左側に示されるように、センサケース後端面１０２側には、信号線１２０が内装された電気コード１２が引き込まれており、この電気コード１２を介して、物体検知出力信号や制御信号等の各種データが図示しないＰＬＣ等の外部接続機器との間で送受信される。
【００３７】
この電気コード１２は、この例では、電源供給用多連装コネクタ１３を介してセンサケース１０に引き込まれている。この電源供給用多連装コネクタ１３は、隣接するもの同士での電源受け渡し機能を備えるものであり、同図には示されていないが、電源線が内装された電気コード１２が引き込まれる電源供給用多連装コネクタ１３（親コネクタ）を先頭として、順次隣接する電源供給用連装コネクタ（子コネクタ）間で電源受け渡しを行うことで各光電センサ１への電源供給が行われる。尚、この電源供給用多連装コネクタ１３については、特開２００１−１９６１２７号公報にその詳細が示されているので、必要であれば同公報を参照されたい。
【００３８】
同図中、符号１４で示されるのは、７セグメント表示器（表示部）１４であり、この例では、光電センサ１の検知出力値等の各種データが数値表示される。
【００３９】
同図中、符号１５で示されるのは、２個のスライドスイッチ１５ａ，１５ａ並びに２個の押しボタンスイッチ１５ｂ，１５ｂを含む操作部１５であり、この例では、各種のモード切り替えや、表示部１４による数値表示を参照しつつ各種設定値を変更等行う際に使用される。
【００４０】
同図中、符号１６で示されるのは、光通信用窓１６であり、この例では、当該光通信用窓１６を介して隣接するセンサ間でのデータ通信が行われる。尚、この光通信については、特開２００１−２２２７８８号公報にその詳細が示されているので、必要であれば同公報を参照されたい。
【００４１】
クランプ機構３の全体構成が図２に示されている。同図に示されるように、クランプ機構３は、ファイバ２のそれぞれを下からあてがって支持するための階段状支持台部（下方）と押圧子収容スペース３０４（上方）とが形成されたホルダ３０と、前記階段状支持台部３１の上方にてファイバ挿通方向に沿って配置されるとともにホルダ３０内でそれぞれ独立に上下動自在にガイドされ、ファイバ２を各組（Ａ組又はＢ組）毎に階段状支持台部３１にそれぞれ押し付けて固定する第１押圧子３２および第２押圧子３３と、第１と第２の押圧子のそれぞれに対応して各々の上方にてホルダ３０に回動自在に軸支されて設けられ、その回動により各押圧子を上下動させる第１操作レバー３４及び第２操作レバー３５とを有してなる。尚、センサケース１０については、同図中には、その前端部分のみが示されている。
【００４２】
この例では、ホルダ３０には、その両側面後端部で高さ方向に延びる取り付けレール（一方側のみ図示）３０３，３０３が設けられており、操作レバー３４，３５および押圧子３２，３３をホルダ３０の所定箇所に略固定した状態で、この取り付けレール３０３，３０３を、センサケース１０の対向する一対の内側面に高さ方向に形成されたレールスライド溝１１３ａ，１１３ｂに滑り込ませれば、操作レバー３４，３５、押圧子３２，３３及びホルダ３０がセンサケース１０（ホルダ収容スペース１１４）に装着され、これにより、ファイバ取り付け面１０１を構成する壁体ブロックにクランプ機構３が安定保持される。
【００４３】
ホルダ３０の前面に高さ方向に均等な間隔で設けられた４つの丸孔３００ａ，３００ｂ，３００ｃ，３００ｄは、ホルダ３０（内部に形成された階段状支持台部３１）へのファイバ挿通を許容するための逃がし孔（階段状支持台部側逃がし孔）３００であり、上から順に上述のファイバＡ１，Ａ２，Ｂ１，Ｂ２がそれぞれ挿通される。尚、ホルダ３０がセンサケース１０に装着された状態においては、それら階段状支持台部側逃がし孔３００ａ〜３００ｄの直前には、センサケース１０のファイバ取り付け面に設けられた４つのファイバ挿通孔１００ａ〜１００ｄが一対一で配置されることとなる。
【００４４】
尚、同図には示されていないが、ホルダ３０の背面（ファイバ逃がし孔３００が設けられた面と反対側の面）には、階段状支持台部側逃がし孔３００ａ〜３００ｄに対応するホルダ背面側ファイバ逃がし孔が設けられており、当該ホルダ背面側ファイバ逃がし孔を貫通してホルダ３０背後へと引き込まれたファイバ２のそれぞれの先端位置（センサケース１０内）には、対応する投光素子または受光素子（図示省略）が配置されている。
【００４５】
ホルダ３０の内部に形成される階段状支持台部３１の詳細が図３に示されている。尚、階段状支持台部３１は、実際には、ホルダ３０内部に形成されるものであるが、理解を容易とするため、同図にはその形状が外観図と同様にして概略的に示されている。
【００４６】
ホルダ３０の内部（下方）には、同図に示されるように、ファイバ逃がし孔３００にそれぞれ挿通されたファイバを下方から支持するためのファイバ支持面３１１ａ，３１１ｂ，３１１ｃ，３１１ｄをそれぞれの上端壁面として有する４つの個別台部３１０ａ，３１０ｂ，３１０ｃ，３１０ｄがファイバ挿通方向に沿って階段状に配置されており、これら４つの個別台部にて階段状支持台部３１が構成されている。各ファイバ支持面３１１ａ〜３１１ｄは、挿通されるファイバと平行な面であり、ファイバ逃がし孔３００ａ〜３００ｄにそれぞれ対応して同じ高さ位置に設けられている。このため、各個別台部３１０〜３１０ｄは、ファイバの高さ方向隣接間隔に対応する段差を有している。
【００４７】
各個別台部３１０ａ〜３１０ｄには、更に、ファイバの胴周形状に対応する半円弧状の溝（窪み）３１２ａ，３１２ｂ，３１２ｃ，３１２ｄがそれぞれのファイバ支持面中央に設けられている。ファイバクランプ時には、円弧状溝３１２ａにはファイバＡ１が、円弧状溝３１２ｂにはファイバＡ２が、円弧状溝３１２ｃにはファイバＢ１が、円弧状溝３１２ｄにはファイバＢ２がそれぞれ当接されて、各ファイバは下方から支持されることとなる。尚、円弧状溝３１２ａとファイバ逃がし孔３００ａとの関係からも分かるように（同図中（ａ）参照）、各円弧状溝３１２ａ〜３１２ｄは、ファイバ逃がし孔３００ａ〜３００ｄと支持台部内でそれぞれ繋がっている。
【００４８】
次に、第１操作レバー３４並びに第２操作レバー３５の詳細について図２及び図４の分解斜視図を同時に参照しつつ説明する。
【００４９】
第１操作レバー３４は、図２及び図４に示されるように、その両端をケース連装方向に向けた状態で枢支される軸部３４１と、軸部３４１を回転軸として回動されるアーム部３４２と、第１押圧子３２の後述する左右の係止突起３２３に係合され、アーム部３４２の起立動作に連動して第１押圧子を引き上げる爪部３４３と、アーム部３４２の倒動作に連動して第１押圧子の後述するカムフォロア３２４を下方に押圧するカム３４４とを有してなる。
【００５０】
軸部３４１は、図２に示されるホルダ３０の両側上縁部前方側に設けられた半円弧状の一対の溝（軸部ガイド溝）３０１ａ，３０１ｂ及びセンサケース１０の内側面上端部前方側に形成された一対の枢支溝１１１ａ，１１１ｂによりセンサホルダ及びセンサケース１０に回動可能に取り付けられる。より詳細に説明すると、軸部３４１の両端を結ぶ長さは、枢支溝１１１ａ，１１１ｂを結ぶ長さにほぼ等しく、この軸部３４１の両端を軸部ガイド溝３０１ａ，３０１ｂに適切にはめ込み、この状態のホルダ３０を上述したようにセンサケース１０に装着すれば、軸部ガイド溝３０１ａ，３０１ｂと枢支溝１１１ａ，１１１ｂとで軸部３４１の両端部が回動可能に軸支される。
【００５１】
アーム部３４２は、高さ方向への切断面が円形状となる操作端部（先端部）を有し、軸部３４１を回転軸として約１／４周分の回動が可能とされる。尚、このアーム部３４２は、正面（ファイバ取り付け面１０１）から見て軸部３４１の中央より右側寄りに設けられている。
【００５２】
爪部３４３は、この例では、軸部３４１の中央に設けられるカム３４４と一体化されている。すなわち、この例では、カム３４４の半円弧状の外周面３４４ａの背面側となる左右一対の平坦面３４３ａ，３４３ｂが爪部３４３の引っ掛け面として使用され、これが第１押圧子３２の後述する係止突起３２３ａ，３２３ｂの先端部分に当接され、アーム部３４２の起立動作に連動して第１押圧子３２を引き上げる。
【００５３】
尚、図４には、一方側（左側）の平坦面３４３ａしか示されていないが、この平坦面３４３ａ，３４３ｂは、薄板状の突起３４６で区画されて左右両側に存在している。この薄板状突起３４６は、第１押圧子の後述する２箇所の係止突起３２３先端部の間に配置され、爪部３４３を第１押圧子係止突起３２３へ安定して係合させるとともに、カム３４４による押圧子３２の押圧を補助する役割を果たすものである。
【００５４】
次に、第２操作レバー３５は、図２及び図４に示されるように、その両端をケース連装方向に向けた状態で枢支される軸部３５１と、軸部３５１を回転軸として回動されるアーム部３５２と、第２押圧子３３の後述する左右の係止突起３３３に係合され、アーム部３５２の起立動作に連動して第２押圧子を引き上げる爪部３５３と、アーム部３５２の倒動作に連動して第２押圧子の後述するカムフォロア３３４を下方に押圧するカム３５４とを有してなる。
【００５５】
軸部３５１は、図２に示されるホルダ３０の両側上縁部後方側に設けられた半円弧状の一対の溝（軸部ガイド溝）３０２ａ，３０２ｂ及びセンサケース１０の内側面上端部後方側に形成された一対の枢支溝１１２ａ，１１２ｂによりセンサホルダ３０及びセンサケース１０に回動可能に取り付けられる。すなわち、軸部３５１は、第１操作レバーの軸部３４１の背後に並べられて設けられることとなる。そして、軸部３５１の両端を結ぶ長さは、枢支溝１１２ａ，１１２ｂを結ぶ長さにほぼ等しく、この軸部３５１の両端を軸部ガイド溝３０２ａ，３０２ｂに適切にはめ込み、この状態のホルダ３０を上述したようにセンサケース１０に装着すれば、軸部ガイド溝３０２ａ，３０２ｂと枢支溝１１２ａ，１１２ｂとで軸部３４１の両端部が回動可能に軸支される。
【００５６】
アーム部３５２は、高さ方向への切断面が円形状となる操作端部（先端部）を有し、軸部３５１を回転軸として約１／４周分の回動が可能とされる。尚、このアーム部３５２は、正面（ファイバ取り付け面１０１）から見て軸部３５１の中央より左側寄りに設けられている。
【００５７】
尚、第２操作レバーの軸部３５１は、第１操作レバーの軸部３４１より後方に位置して設けられるため、第２操作レバーのアーム部３５２は、第１操作レバーのアーム部３４２より長く設けられている。そして、ファイバクランプ（押圧）時に両操作レバーを倒した状態においては、各アーム部の先端部は、センサケース前面（取り付け面）の上縁部に並べられるように配置される（図１又は図１１参照）。
【００５８】
爪部３５３は、この例では、軸部３５１の中央に設けられるカム３５４と一体化されている。すなわち、この例では、カム３５４の半円弧状の外周面３５４ａの背面側となる左右一対の平坦面３５３ａ，３５３ａが爪部３５３として使用され、これが第２押圧子３３の後述する係止突起３３３ａ，３３３ｂの先端部分に各々引っ掛けられ、アーム部３５２の起立動作に連動して第２押圧子３３を引き上げる。
【００５９】
尚、図４には、一方側（左側）の平坦面３５３ａしか示されていないが、この平坦面３５３ａ，３５３ａは、薄板状の突起３５６で区画されて左右両側に存在している。この薄板状突起３５６は、第２押圧子３３の後述する２箇所の係止突起３３３先端部の間に配置され、爪部３５３を第２押圧子係止突起３３３へ安定して係合させるとともに、カム３５４による第２押圧子３３の押圧を補助する役割を果たすものである。
【００６０】
第１押圧子３２の詳細が図５に示されている。尚、同図中（ａ）は押圧子３２の正面図、（ｂ）は側面図、（ｃ）は平面図、（ｄ）は底面図をそれぞれ示している。
【００６１】
第１押圧子３２は、挿通されるファイバと平行な第１押圧面３２５ａを第１押圧子３２の最下端に臨ませてなる第１の押圧端部と、第１の押圧端部の上方にて同様にファイバと平行な第２の押圧面３２５ｂを下方に臨ませてなる第２押圧端部とを有する断面略Ｌ字状体として構成される。
【００６２】
第１押圧子３２の上端面は、第１操作レバー３４のカム３４４に対応するカムフォロア３２４として機能する。このカムフォロア３２４の前半分、左右両側からは、その先端が内側に折れ曲がった一対の係止突起３２３ａ，３２３ｂがその先端部分を互いに対峙させて突出されており、この係止突起の先端部分には、上述した操作レバー３４の爪部３４３（平坦面３４３ａ，３４３ｂ）が係合される。
【００６３】
第１押圧面３２５ａには、ファイバの胴周形状に対応する半円弧状の溝３２６ａがその中央部に形成されており、この円弧状溝３２６ａが図３に示されるファイバＡ２に当接されて、ファイバＡ２を上方から押圧することとなる。すなわち、ファイバＡ２は、ホルダ３０内部において、この第１押圧子３２の円弧状溝３２６ａ（第１端部）と先に図３に示した個別台部３１０ｂに設けられた円弧状溝３１２ｂとに挟持されることとなる。
【００６４】
同様に、第２押圧面３２５ｂには、半円弧状の溝３２６ｂがその中央部に形成されており、この円弧状溝３２６ａが図３に示されるファイバＡ１に当接されて、ファイバＡ１を上方から押圧することとなる。すなわち、ファイバＡ１は、ホルダ３０内部において、第１押圧子３２の円弧状溝３２６ｂ（第１端部）と先に図３に示した個別台部３１０ａの円弧状溝３１２ａとに挟持されることとなる。
【００６５】
図５中（ａ）に示される第１押圧子３２の中央部開口は、円弧状溝３２６ｂ（第２押圧面３２５ｂ）に押圧されるファイバＡ１を上下方向への余裕を持たせつつ自身に挿通させるための押圧子側逃がし孔３２０ａであり、その内径（高さ幅）はファイバの直径より大きく設けられている。
【００６６】
尚、押圧子側逃がし孔３２０ａの右側方（逃がし孔３２０ａを形成する押圧子壁の一部）には、ファイバＡ１，Ａ２を第１押圧子３２にて同時押圧する際、それら２本のファイバを隔てる押圧子壁が上方へと撓むように、切り欠き３２００が設けられている。
【００６７】
尚、第１押圧面３２５ａ（円弧状溝３２６ａ）、並びに第２押圧面３２５ｂ（円弧状溝３２６ｂ）の奥行き（押圧子厚さ方向）は、それぞれ、図３に示した個別台部３１０ｂ並びに３１０ａのそれぞれのファイバ支持面３１１ｂ並びに３１１ａの奥行き（厚さ方向）にほぼ等しく、また、第１端部と第２端部との段差（第１押圧面と第２押圧面との高さ位置の差）は、個別台部３１０ａと３１０ｂとの段差に等しい。したがって、ファイバＡ１とＡ２とを同時クランプする際、階段状支持台部３１と第１押圧子３２とは、互いの壁面を若干摺り合わせつつ適度に噛み合うようになっている。
【００６８】
加えて、第１押圧子３２は、その横幅が図１に示されるホルダ３０の押圧子収容スペース３０４の横幅にほぼ等しく、そのため、ホルダ内においては第１押圧子は左右（センサケース１０連装方向）に揺動することなく安定した上下動作が可能とされている。
【００６９】
第２押圧子３３の詳細が図６に示されている。尚、同図中（ａ）は押圧子３３の正面図、（ｂ）は側面図、（ｃ）は平面図、（ｄ）は底面図をそれぞれ示している。
【００７０】
第２押圧子３３は、挿通されるファイバと平行な第１押圧面３３５ａを第２押圧子３３の最下端に臨ませてなる第１の押圧端部と、第１の押圧端部の上方にて同様にファイバと平行な第２の押圧面３３５ｂを下方に臨ませて第２押圧端部とを有する縦長の断面略Ｌ字状体として構成される。
【００７１】
第２押圧子３３の上端面は、第２操作レバー３５のカム３５４に対応するカムフォロア３３４として機能する。このカムフォロア３３４の前半分、左右両側からは、その先端が内側に折れ曲がった一対の係止突起３３３ａ，３３３ｂがその先端部分を互いに対峙させて突出されており、この係止突起の先端部分には、上述した操作レバー３５の爪部３５３（平坦面３５３ａ，３５３ａ）が係合される。
【００７２】
第１押圧面３３５ａには、ファイバの胴周形状に対応する半円弧状の溝３３６ａがその中央部に形成されており、この円弧状溝３３６ａが図３に示されるファイバＢ２に当接されて、ファイバＢ２を上方から押圧することとなる。すなわち、ファイバＢ２は、ホルダ３０内部において、この第２押圧子３３の円弧状溝３３６ａ（第１端部）と先に図３に示した個別台部３１０ｄに設けられた円弧状溝３１２ｄとに挟持されることとなる。
【００７３】
同様に、第２押圧面３３５ｂには、半円弧状の溝３３６ｂがその中央部に形成されており、この円弧状溝３３６ａが図３に示されるファイバＢ１に当接されて、ファイバＢ１を上方から押圧することとなる。すなわち、ファイバＢ１は、ホルダ３０内部において、第２押圧子３３の円弧状溝３３６ｂ（第２端部）と先に図３に示した個別台部３１０ｃの円弧状溝３１２ｃとに挟持されることとなる。
【００７４】
第２押圧子３３には、３つの押圧子側逃がし孔３３０ａ，３３０ｂ，３３０ｃが設けられている。最も上に位置する逃がし孔３３０ａは、第１押圧子３２の逃がし孔３２０ａを挿通されてくるファイバＡ１を、上下方向への余裕を持たせつつ自身（第２押圧子）に挿通させるための第１逃がし孔３３０ａであり、その下に位置する逃がし孔３３０ｂは、ファイバＡ２を上下方向への余裕を持たせつつ自身に挿通させるための第２逃がし孔３３０ｂであり、第１端部と第２端部との間の押圧子壁に設けられた逃がし孔３３０ｃは、円弧状溝３３６ｂ（第２押圧面３３５ｂ）に押圧されるファイバＢ１を上下方向への余裕を持たせつつ自身に挿通させるための第３逃がし孔３３０ｃであり、それら逃がし孔３３０ａ〜３３０ｃの内径（高さ幅）はファイバの直径より大きく設けられている。
【００７５】
尚、第３逃がし孔３３０ｃの左側方（逃がし孔３３０ｃを形成する押圧子壁の一部）には、ファイバＢ１，Ｂ２を第２押圧子３３にて同時押圧する際、それら２本のファイバを隔てる押圧子壁が上方へと撓むように、切り欠き３３００が設けられている。
【００７６】
尚、第１押圧面３３５ａ（円弧状溝３３６ａ）、並びに第２押圧面３３５ｂ（円弧状溝３３６ｂ）の奥行き（押圧子厚さ方向）は、それぞれ、図３に示した個別台部３１０ｄ並びに３１０ｃのそれぞれのファイバ支持面３１１ｄ並びに３１１ｃの奥行き（厚さ方向）にほぼ等しく、また、第１端部と第２端部との段差（第１押圧面と第２押圧面との高さ位置の差）は、個別台部３１０ｄと３１０ｃとの段差に等しい。したがって、ファイバＢ１とＢ２とを同時クランプする際、階段状支持台部３１と第２押圧子３３とは、互いの壁面を若干摺り合わせつつ適度に噛み合うようになっている。
【００７７】
加えて、第２押圧子３３は、その横幅が図１に示されるホルダ３０の押圧子収容スペース３０４の横幅にほぼ等しく、そのため、ホルダ内においては第２押圧子は左右（センサケース１０連装方向）に揺動することなく安定した上下動作が可能とされている
【００７８】
尚、この例では、第２押圧子３３にあっては、第１押圧面３３５ａの奥行きは、第１押圧面３３５ｂの奥行きより大きく設けられている。従って、図３に示されるように、個別台部３１０ｄのファイバ支持面３１１ｄの奥行きは、個別台部３１０ｃのファイバ支持面３１１ｃより大きい。但し、ファイバ支持面３１１ａ〜３１１ｃの奥行きは等しく設けられている。
【００７９】
ホルダ３０に第１，第２操作レバー及び第１，第２押圧子を取り付けた場合におけるそれら各パーツの位置関係を図７に示す。尚、同図には、ファイバクランプ解除状態時（操作レバー起立時）の様子が描かれている。
【００８０】
同図中（ａ）は正面（ファイバ取り付け面１０１）側から見た場合における正面図、同図中（ｂ）は同図中（ａ）に示されるＡ−Ａ線による断面図、同図中（ｃ）は、平面図をそれぞれ示している。
【００８１】
第１押圧子３２と第２押圧子３３とは、第１押圧子を前方、第２押圧子を後方としてホルダ３０の押圧子収容スペース３０４内に互いに密接された状態で収容される。
【００８２】
第１操作レバー３４は第１押圧子３２の上方に、第２操作レバー３５は第２押圧子の上方にて、それぞれの軸部３４１，３５１を同じ高さ位置において平行かつファイバ挿通方向に隣接させて回動可能にそれぞれ取り付けられる。このとき、第１操作レバー３４のアーム部３４２と、第２操作レバー３５のアーム部３５２とは、正面からみて左右互い違いに配置されており、何れの動作領域もが重なり合わないようにされている。このため、各操作レバーは完全独立して（相互間非干渉で）別個に動作可能（ファイバを各組毎に独立してクランプ或いはクランプ解除可能）とされている。
【００８３】
第１押圧子３２の逃がし孔３２０ａと、第２押圧子３３の第１逃がし孔３３０ａとは、ほぼ同高さ位置に配置され、ファイバＡ１はそれら両押圧子に同時に挿通される。また、第２押圧子３３の第２逃がし孔３３０ｂの直前上方には、第１押圧子３２の第１円弧状溝３２６ａが位置している。
【００８４】
また、同図中（ｂ）に示されるように、ファイバＡ２は第２押圧子３３の第２逃がし孔３３０ｂに、ファイバＢ１は第３逃がし孔３３０ｃにそれぞれ挿通される。尚、この例では、ファイバＢ３は押圧子の逃がし孔には挿通されない。
【００８５】
次に、図８乃至図１０を参照しつつ、ファイバクランプに係るクランプ機構全体の動作内容を説明する。ファイバクランプ解除状態におけるクランプ機構３の様子が図８並びに図９に示されている。図８は、ファイバクランプ解除状態におけるクランプ機構３の様子を模式的に示した図、図９は同状態を示した斜視図である。尚、両図ともに、センサケース１０の図示は省略されている。
【００８６】
ファイバクランプ解除状態においては、操作レバー３４、３５は起立状態にある。この状態において、ファイバＡ１は、センサケース１０のファイバ挿通孔１００ａ、ホルダ３０のファイバ逃がし孔３００ａ、第１押圧子３２の逃がし孔３２０ａ、第２押圧子３３の第１逃がし孔３３０ａに挿通される。このとき、第１押圧子３２の第２円弧状溝３２６ｂと、その下方に位置する個別台部３１０ａの円弧状溝３１２ａとはファイバ一本分以上離れており、ファイバＡ１は、円弧状溝３１２ａと、逃がし孔３２０ａ及び逃がし孔３３０ａの内壁下面により簡略支持されている状態にある。尚、同図から、第１押圧子３２の逃がし孔３２０ａ、第２押圧子３３の逃がし孔３３０ａの高さ幅は、いずれもファイバＡ１より十分大きいことが確認される。
【００８７】
ファイバＡ２は、センサケース１０のファイバ挿通孔１００ｂ、ホルダ３０のファイバ逃がし孔３００ｂ、第２押圧子３３の第２逃がし孔３３０ｂに挿通される。このとき、第１押圧子３２の第１円弧状溝３２６ａと、その下方に位置する個別台部３１０ｂの円弧状溝３１２ｂとは十分離れており、ファイバＡ２は、円弧状溝３１２ｂと、逃がし孔３３０ｂの内壁下面により簡略支持されている。尚、同図から、第２押圧子３３の第２逃がし孔３３０ｂの高さ幅は、ファイバＡ２より十分大きいことが確認される。
【００８８】
ファイバＢ１は、センサケース１０のファイバ挿通孔１００ｃ、ホルダ３０のファイバ逃がし孔３００ｃ、第２押圧子３３の第３逃がし孔３３０ｃに挿通される。このとき、第２押圧子３３の第２円弧状溝３３６ｂと、その下方に位置する個別台部３１０ｃの円弧状溝３１２ｃとはファイバ一本分以上離れており、ファイバＢ１は、円弧状溝３１２ｃと、逃がし孔３３０ｃの内壁下面により簡略支持されている。尚、同図から、第２押圧子３３の逃がし孔３３０ｃの高さ幅は、ファイバＢ１より十分大きいことが確認される。
【００８９】
ファイバＢ２は、センサケース１０のファイバ挿通孔１００ｄ、ホルダ３０のファイバ逃がし孔３００ｄに挿通される。このとき、第１押圧子３２の第１円弧状溝３２６ａと、その下方に位置する個別台部３１０ｄの円弧状溝３１２ｄとは十分離れており、ファイバＢ２は、円弧状溝３１２ｄと、逃がし孔３３０ｄの内壁下面により簡略支持されている。尚、同図から、第２押圧子３３の逃がし孔３３０ｂの高さ幅は、ファイバＢ２より十分大きいことが確認される。
【００９０】
ファイバクランプ状態におけるクランプ機構３の様子が図１０並びに図１１に示されている。図１０は、ファイバクランプ状態におけるファイバ挿通の様子を模式的に示した図、図１１は同状態をファイバを省略して模式的に示した斜視図である。尚、両図ともに、センサケース１０の図示は省略されている。
【００９１】
先に図９に示した状態（ファイバクランプ解除状態）から、操作レバー３４、３５をそれぞれ前方に倒すと、図１０に示されるように、ファイバ２は各組（Ａ組、Ｂ組）毎にクランプされる。
【００９２】
詳細には、操作レバー３４を前方に倒すと、カム３４４を介して第１押圧子３２が下方へ押し下げられ、これにより、第１押圧子３２の第２円弧状溝３２６ｂとその下方に位置する個別台部３１０ａに設けられた円弧状溝３１２ａとの距離、並びに、第１押圧子３２の第１円弧状溝３２６ａとその下方に位置する個別台部３１０ｂに設けられた円弧状溝３１２ｂとの距離が同時に縮められる。
【００９３】
そのため、ファイバＡ１は、第１押圧子３２の第２円弧状溝３２６ｂとその下方に位置する円弧状溝３１２ａとにより上下方向からそれぞれ押圧され、これにより、クランプ状態（ファイバを引っ張っても、センサケース１０から抜け出ない状態）となる。尚、このとき、ファイバＡ１には、第１押圧子の逃がし孔３２０ａ及び第２押圧子の第１逃がし孔３３０ａの内壁上面が接触しているが、ファイバＡ１への押圧力には直接は影響していない。
【００９４】
同様に、ファイバＡ２は、第１押圧子３２の第１円弧状溝３２６ａとその下方に位置する円弧状溝３１２ｂとにより上下方向からそれぞれ押圧され、これにより、クランプ状態（ファイバを引っ張っても、センサケース１０から抜け出ない状態）となる。尚、このとき、ファイバＡ２には、第２押圧子の第２逃がし孔３３０ｂの内壁上面が接触しているが、ファイバＡ２への押圧力には直接影響していない。
【００９５】
このように、チャンネルＡで使用されるファイバ組Ａ１，Ａ２は、第１操作レバー３４の操作により、第１押圧子３２を介して同時にクランプ・解除される。
【００９６】
また、操作レバー３５を前方へ倒すと、カム３５４を介して第２押圧子３３が押し下げられ、これにより、第２押圧子３３の第２円弧状溝３３６ｂとその下方に位置する個別台部３１０ｃに設けられた円弧状溝３１２ｃとの距離、並びに、第２押圧子３３の第１円弧状溝３３６ａとその下方に位置する個別台部３１０ｄに設けられた円弧状溝３１２ｄとの距離が同時に縮められる。
【００９７】
そのため、ファイバＢ１は、第２押圧子３３の第２円弧状溝３３６ｂとその下方に位置する円弧状溝３１２ｃとにより上下方向からそれぞれ押圧され、これにより、クランプ状態（ファイバを引っ張っても、センサケース１０から抜け出ない状態）となる。尚、このとき、ファイバＢ１には、第２押圧子３３の第３逃がし孔３２０ｃの内壁上面が接触しているが、ファイバＢ１への押圧力には直接影響していない。
【００９８】
同様に、ファイバＢ２は、第２押圧子３３の第１円弧状溝３３６ａとその下方に位置する円弧状溝３１２ｄとにより上下方向からそれぞれ押圧され、これにより、クランプ状態（ファイバを引っ張っても、センサケース１０から抜け出ない状態）となる。
【００９９】
このように、チャンネルＢで使用されるファイバ組Ｂ１，Ｂ２は、操作レバー３５の操作により、第２押圧子３３を介して同時にクランプ・解除される。
【０１００】
尚、各操作レバー３４、３５を前方に倒し、チャンネルＡ，Ｂの各組のファイバを一斉にクランプした状態にあっては、操作レバー３４，３５の断面円形状の各先端部はそれぞれの一端側面を互いに近接させて、センサケース前面（取り付け面）の上縁部に並べられるように配置される。この様子は、図１１にも示されている。このような構成のため、本実施形態においては、センサケース１０を複数横並びで連装した状態にあっては、各操作レバーも同様にセンサ列の一方側に一列横隊で配置されるから、クランプに係るレバー操作が極めて容易である。
【０１０１】
そして、上記実施の形態によれば、２組（４本）のファイバＡ１，Ａ２，Ｂ１，Ｂ２がケース高さ方向に一列に収容（挿入）されるから、センサ設置スペースの横方向への増加を、各センサに２本ずつ挿入する従来のファイバ型光電センサの半分に押さえることができる。また、それら挿入された２組のファイバは、対応する押圧子３２，３３により各組毎にクランプされるから、それら２組４本のファイバを一括クランプする場合に比して、各ファイバに対する押圧力のばらつき或いは引っ張り強度のばらつきを抑制し、バランス良くクランプすることができる。そのため、不意のファイバ抜けや固定不良等の問題も解消することができる。加えて、上記実施形態によれば、各組毎の脱着が可能となるため、例えば、使用状況に応じて適宜に各組のファイバを脱着したり、或いは各組毎にメンテナンスを行ったりする際の作業性も向上する。
【０１０２】
更に、上記実施形態によれば、各ファイバは、階段状支持台部３１、押圧子３２，３３の対応する‘逃がし孔’に適宜１本ずつ挿通されるから、例えば、所定の枠内に複数本のファイバを一括してくぐらせる（挿通させる）ような場合（後述する図１２（ｂ），図１３（ｂ）参照）に比してファイバをクランプ機構３内で安定維持させることができる。加えて、押圧子３２，３３側の‘逃がし孔’３２０，３３０は、ファイバの直径よりも大きな幅を持って設けられているから、該押圧子を上下動させた場合にも、ファイバが無理に引っ張られることがなく、安定したクランプを行うことができる。
【０１０３】
更に、上記実施形態によれば、各押圧子３２，３３には、ファイバ押圧時に、押圧子壁に‘撓み’を生じさせる‘切り欠き’３２００，３３００が設けられているから、ファイバ押圧時（クランプ時）には、各ファイバへの押圧力が自動的に均等となるように調整され、より一層バランス良く各組のファイバをクランプすることができる。
【０１０４】
更には、上記実施形態によれば、各押圧子３２、３３または個別台部３１０にそれぞれ設けられた円弧状溝３２６，３３６，３１２によりファイバを上下両方向から包み込むように無理なく押圧することができるから、押圧に伴うファイバの変形・損傷等の心配もない。
【０１０５】
更には、上記実施形態によれば、他のアーム部の状態（起立・倒）に拘わらず、それぞれのアーム部（操作レバー３３，３４）を独立して動作させることができるから、各組毎のファイバの脱着自由度が確保される。
【０１０６】
次に、上記実施形態の部分改良例をいくつか例示する。
【０１０７】
例えば、上記実施形態では、図１２に模式的に示されるように、第２押圧子３３の逃がし孔には、１本ずつファイバを挿通させるようにしたが、これは、同図中（ｂ）に示されるように、複数本（同図に示される例では、ファイバＡ１，Ａ２の２本）を１つの逃がし孔（同図に示される例では、３３０ａと３３０ｂとを１つの孔として纏めたもの）に挿通させるようにしてもよい。これについては、第１押圧子３２、階段状支持台部３１の逃がし孔３００についても同様である。
【０１０８】
また、上記実施形態では、図１２（ａ）に模式的に示されるように、上側の２本のファイバＡ１，Ａ２を同時クランプするための第１押圧子３２を前方に配置し、下側の２本のファイバＢ１，Ｂ２を同時クランプするための第２押圧子３３を後方に配置したが、押圧子の配置は、例えば、図１３（ａ）に模式的に示されるように、第１押圧子を後方に配置し、第２押圧子を前方に配置するようにすることもできる。この場合には、階段状支持台部３１の構造をそれに対応して変える必要があるが、これについては後述する。
【０１０９】
尚、この場合にも、図１３中（ｂ）に示されるように、１つの逃がし孔（ここでは第２押圧の複合逃がし孔３３０ａ＋３３０ｂ）に、複数本のファイバ（この例ではファイバＡ１、Ａ２の２本）を同時に挿通させるようにしてもよい。
【０１１０】
また、上記実施形態では、２つの操作レバー（第１操作レバー３４，第２操作レバー３５）を、それぞれの軸部３４１，３５１を同じ高さ位置において平行かつファイバ挿通方向に隣接させ、かつ、各アーム部３４２，３５２をセンサケース連装方向に並べて設けたが、２つの操作レバーの配置は、図１４及び１５に模式的に示されるように、この他にも種々の態様のものを適用することができる。尚、図１４，図１５において、７００番台の符号は操作レバーのアーム部を、８００番台の符号は操作レバーの軸部をそれぞれ示している。
【０１１１】
例えば、図１４中（ａ）に示されるように、同一形状の２つの操作レバーの軸部７０１，７０２の中心が同一線上で重なるようにし、かつそれぞれのアーム部８０１，８０２の先端を前方で揃えて左右に並べるようにしてもよい。また、同図中（ｂ）に示されるように、同一形状の２つの操作レバーのそれぞれの軸部（８０３，８０４を前後及び左右方向にずらし、かつアーム部７０３，７０４の先端部を同一方向に向けて設けてもよい。また、同図中（ｃ）に示されるように、同一形状の２つの操作レバーのそれぞれの軸部８０５，８０６を、高さ違いで左右に並べ、アーム部先端７０５，７０６を同一方向に向けて設けてもよい。また、同図中（ｄ）に示されるように、アーム部７０７，７０８の長さが異なる２つの操作レバーのそれぞれの軸部８０７，８０８を前後及び左右にずらしつつも、アーム部先端を前方で揃えるようにしてもよい。
【０１１２】
或いは、図１５（ａ）に示されるように、同一形状の２つの操作レバーのそれぞれの軸部８１１，８１２を高さ方向に平行に隣接させ、かつ２つのアーム部７１１，７１２の先端が対向する側に向けられるようにしてもよい。また、同図中（ｂ）に示されるように、同一形状の２つの操作レバーのそれぞれの軸部８１３，８１４を高さ方向及び前後方向にずらして設けると共にそれぞれのアーム部７１３，７１４の先端を同一方向に向け、かつ、後方に位置するアーム部７１３の先端が前方に位置する操作レバーの軸部８１４の上方直近に位置するように設けてもよい。また、同図中（ｃ）に示されるように、同一形状の２つの操作レバーのそれぞれの軸部８１５，８１６を同じ高さで平行に隣接させ、それぞれのアーム部７１５，７１６の先端を対向する側に向けて設けてもよい。また、同図中（ｄ）に示されるように、同一形状の２つの操作レバーの軸部８１７，８１８を同じ高さ位置において平行にかつ前後方向に離して設け、後方に位置するアーム部７１７の先端が前方に位置する操作レバーの軸部８１８の直近に位置するようにしてもよい。
【０１１３】
次に、上述の部分改良例のより具体的な一例として、図１３（ａ）に示したように、上方に位置する２本のファイバＡ１，Ａ２を同時クランプするための第１押圧子を後方に、下方に位置する２本のファイバＢ１，Ｂ２を同時クランプするための第２押圧子を前方にそれぞれ配置した本発明に係る第２実施形態を示す。また、先に説明しておくが、第２実施形態では、図１５（ｂ）に示したように配置される同一形状の２つの操作レバーが適用されている。
【０１１４】
第２実施形態におけるクランプ機構３の構成が図１６に示されている。尚、この第２実施形態における光電センサ１の構成は、第１実施形態とほぼ同様であるので、図示は省略する。もっとも、以下に示すように、クランプ機構３に係る両実施形態の差異に起因して、光電センサ１の前端部の外観は両実施形態で多少なりとも相違するが、当該相違は、以下の説明乃至図面を参照すれば当業者であれば容易に想到される筈である。
【０１１５】
図１６に示されるように、第２実施形態におけるクランプ機構３は、第１実施形態と同様に、ファイバ２のそれぞれを下からあてがって支持するための階段状支持台部と押圧子収容スペースとが内部形成されたホルダ５０と、前記階段状支持台部の上方にてファイバ挿通方向に沿って配置されるとともにホルダ５０内でそれぞれ独立に上下動自在にガイドとされ、ファイバ２を各組（Ａ組又はＢ組）毎に階段状支持台部にそれぞれ押し付けて固定する第１押圧子６２および第２押圧子６３と、第１と第２の押圧子のそれぞれに対応して各々の上方にてホルダ５０に回動自在に軸支されて設けられ、その回動により各押圧子を上下動させる第１操作レバー６４及び第２操作レバー６５とを有してなる。
【０１１６】
第２実施形態が第１実施形態と大きく異なる点は、先に説明したように、上方に位置する２本のファイバＡ１，Ａ２を同時クランプするための第１押圧子（６２）が後方に、下方に位置する２本のファイバＢ１，Ｂ２を同時クランプするための第２押圧子（６３）が前方にそれぞれ配置されている点と、第１操作レバー６４、第２操作レバー６５に同一形状
（構成）のものを使用した点にある。
【０１１７】
一方、同図中に示されるように、第２実施形態におけるセンサケース（２０）は、第１実施形態におけるそれと形状こそ多少異なるものの、その基本構成はほぼ同一である。すなわち、センサケース２０の前端面（ファイバ取り付け面）２０１には、センサケース２０の内外を貫通する４つのファイバ挿通孔２００ａ〜２００ｄがケース高さ方向に均等な間隔で設けられており、それらファイバ挿通孔２００ａ〜２００ｄには、上から順に光ファイバＡ１，Ａ２，Ｂ１，Ｂ２がそれぞれ挿通される。
【０１１８】
第２実施形態では、ホルダ５０には、その両側面後端部で高さ方向に伸びる取り付け用レール（壁面端部）５０３，５０３が設けられており、操作レバー６４，６５および押圧子６２，６３をホルダ５０の所定箇所に略固定した状態で、この取り付けレール５０３，５０３をセンサケース２０の対向する一対の内側面後端部に高さ方向に形成された支持柱２１３ａ，２１３ｂの後ろに位置させるようにして、ホルダ５０をセンサケース２０のホルダ収容スペース２１４に滑り込ませれば、操作レバー６４，６５、押圧子６２，６３及びホルダ５０がセンサケース２０に装着され、これにより、ファイバ取り付け面２０１を構成する壁体ブロックにクランプ機構３が安定保持される。
【０１１９】
ホルダ５０の前面に高さ方向に均等な間隔で設けられた４つの丸孔５００ａ，５００ｂ，５００ｃ，５００ｄは、ホルダ５０へのファイバ挿通を許容するためのホルダ側挿通孔５００である。尚、正確には、孔５００ａは、半円弧状溝であるが、これは、第２押圧子６３の後述する上壁底面部６３７に設けられた半円弧状溝６３８との間で左右両側の空いた孔が形成されるようになっている。
【０１２０】
そして、各孔５００ａ〜５００ｄには、上から順にファイバＡ１，Ａ２，Ｂ１，Ｂ２がそれぞれ挿通される。尚、ホルダ５０がセンサケース２０に装着された状態においては、それらホルダ側挿通孔５００ａ〜５００ｄの直前には、センサケース２０のファイバ取り付け面に設けられた４つのファイバ挿通孔２００ａ〜２００ｄが一対一で配置されることとなる。
【０１２１】
尚、同図には示されていないが、ホルダ５０の背面（ファイバ挿通孔５００が設けられた面と反対側の面）には、ホルダ側挿通孔５００ａ〜５００ｄに対応する階段状支持台部側逃がし孔５５０ａ〜５５０ｄが設けられており（図１７（ａ）参照）、当該階段状支持台部側逃がし孔５５０ａ〜５５０ｄを通過してホルダ５０背後へと引き込まれたファイバ２のそれぞれの先端位置（センサケース２０内）には、対応する投光素子または受光素子（図示省略）が配置されている。
【０１２２】
ホルダ５０の内部に形成される階段状支持台部５１の詳細が図３に示されている。尚、階段状支持台部５１は、実際には、ホルダ５０内部に形成されるものであるが、理解を容易とするため、同図にはその形状が外観図と同様にして概略的に示されている。
【０１２３】
ホルダ５０の内部（下方）には、同図に示されるように、ファイバ挿通孔５００にそれぞれ挿通されたファイバを下方から支持するためのファイバ支持面５１１ａ，５１１ｂ，５１１ｃ，５１１ｄをそれぞれの上端壁面として有する４つの個別台部５１０ａ，５１０ｂ，５１０ｃ，５１０ｄがファイバ挿通方向に沿って階段状に配置されており、これら４つの個別台部にて階段状支持台部５１が構成されている。各ファイバ支持面５１１ａ〜５１１ｄは、挿通されるファイバと平行な面であり、ファイバ挿通孔５００ａ〜５００ｄにそれぞれ対応して同じ高さ位置に設けられている。このため、各個別台部５１０ａ〜５１０ｄは、ファイバの高さ方向隣接間隔に対応する段差を有している。尚、同図からも分かるように、第２実施形態においては、階段状支持台部５１は、第１実施形態の階段状支持台部３１とは逆に、センサケース前方（ファイバ取り付け面側）から見て‘登り階段状’のものとなっている。
【０１２４】
各個別台部５１０ａ〜５１０ｄには、更に、ファイバの胴周形状に対応する半円弧状の溝（窪み）５１２ａ，５１２ｂ，５１２ｃ，５１２ｄがそれぞれのファイバ支持面中央に設けられている。ファイバクランプ時には、円弧状溝５１２ａにはファイバＡ１が、円弧状溝５１２ｂにはファイバＡ２が、円弧状溝５１２ｃにはファイバＢ１が、円弧状溝５１２ｄにはファイバＢ２がそれぞれ当接されて、各ファイバは下方から支持されることとなる。尚、円弧状溝５１２ａとファイバ逃がし孔５５０ａとの関係からも分かるように（同図中（ａ）参照）、各円弧状溝５１２ａ〜５１２ｄは、ファイバ逃がし孔５５０ａ〜５５０ｄと階段状支持台部５１内でそれぞれ繋がっている。
【０１２５】
次に、第１操作レバー６４並びに第２操作レバー６５の詳細について図１６および図１８の拡大斜視図を同時参照しつつ説明する。尚、第２実施形態においては、第１操作レバーおよび第２操作レバーに同一形状（構造）のものを使用しているため、図１８の拡大斜視図においては、符号の重複振りを避けるため、第１操作レバー６４についての符号のみを付しているが、第２操作レバー６５についても同様にして説明される（但し、符号は、「６４→６５」、「６４○→６５○」といったように置換する）。
【０１２６】
第１操作レバー６４は、図１６及び図１８に示されるように、その両端をケース連装方向に向けた状態で枢支される軸部６４１と、軸部６４１を回転軸として回動されるアーム部６４２と、第１押圧子６２の後述する左右の係止突起６２３に係合され、アーム部６４２の起立動作に連動して第１押圧子６２を引き上げる爪部６４３と、アーム部６４２の倒動作に連動して第１押圧子６２の後述するカムフォロア６２４を下方に押圧するカム６４４とを有してなる。
【０１２７】
軸部６４１は、図１６に示されるホルダ５０の両側面上端部上段側に設けられたスリット状溝（軸部ガイド溝）５０１ａ，５０１ｂによりホルダ５０に回動可能に取り付けられる。より詳細に説明すると、軸部６４１の両端を結ぶ長さは、センサケース２０のホルダ収容スペース２１４の横幅にほぼ等しく、この軸部６４１の両端を軸部ガイド溝５０１ａ，５０１ｂにそれぞれ滑り込ませ、この状態のホルダ５０をセンサケース２０に装着すれば、軸部ガイド溝５０１ａ，５０１ｂとセンサケース２０の両側壁とで軸部６４１の両端部が回動可能に軸支される。
【０１２８】
アーム部６４２は、階段状の滑り止め加工が施された操作端部（先端部）６４２ａを有し、軸部６４１を回転軸として約１／４周分の回動が可能とされる。
【０１２９】
爪部６４３は、この例では、軸部６４１の半周面を覆うようにして設けられるカム６４４と一体化されている。すなわち、この例では、カム６４４の半円弧状の外周面６４４ａの背面側となる左右一対の平坦面６４３ａ，６４３ｂが爪部６４３の引っ掛け面として使用され、これが第１押圧子６２の後述する係止突起６２３ａ，６２３ｂの先端部分に当接され、アーム部６４２の起立動作に連動して第１押圧子６２を引き上げる。
【０１３０】
尚、この平坦面６４３ａ，６４３ｂは、薄板状の突起６４６で区画されている。この薄板状突起６４６は、第１押圧子６２の後述する２箇所の係止突起６２３の間に配置され、爪部６４３を第１押圧子係止突起６２３へ安定して係合させるとともに、カム６４４による押圧子６２の押圧を補助する役割を果たすものである。
【０１３１】
次に、第２操作レバー６５は、第１操作レバーと同様に、その両端をケース連装方向に向けた状態で枢支される軸部６５１と、軸部６５１を回転軸として回動されるアーム部６５２と、第２押圧子６３の後述する左右の係止突起６３３に係合され、アーム部６５２の起立動作に連動して第２押圧子６３を引き上げる爪部６５３と、アーム部６５２の倒動作に連動して第２押圧子６３の後述するカムフォロア６３４を下方に押圧するカム６５４とを有してなる。
【０１３２】
軸部６５１は、図１６に示されるホルダ５０の両側面上端部下段側に設けられたスリット状溝（軸部ガイド溝）５０２ａ，５０２ｂによりホルダ５０に回動可能に取り付けられる。より詳細に説明すると、軸部６５１の両端を結ぶ長さは、センサケース２０のホルダ収容スペース２１４の横幅にほぼ等しく、この軸部６５１の両端を軸部ガイド溝５０２ａ，５０２ｂにそれぞれ滑り込ませ、この状態のホルダ５０をセンサケース２０に装着すれば、軸部ガイド溝５０２ａ，５０２ｂとセンサケース２０の両側壁とで軸部６５１の両端部が回動可能に軸支される。
【０１３３】
アーム部６５２は、階段状の滑り止め加工が施された操作端部（先端部）６５２ａを有し、軸部６５１を回転軸として約１／４周分の回動が可能とされる。
【０１３４】
爪部６５３は、軸部６５１の半周面を覆うようにして設けられるカム６５４と一体化されている。すなわち、この例では、カム６５４の半円弧状の外周面６５４ａの背面側となる左右一対の平坦面６５３ａ，６５３ｂが爪部６５３の引っ掛け面として使用され、これが第２押圧子６３の後述する係止突起６３３ａ，６３３ｂの先端部分に当接され、アーム部６５２の起立動作に連動して第２押圧子６３を引き上げる。
【０１３５】
尚、この平坦面６５３ａ，６５３ｂは、薄板状の突起６５６で区画されている。この薄板状突起６５６は、第１押圧子６３の後述する２箇所の係止突起６３３の間に配置され、爪部６５３を第１押圧子係止突起６３３へ安定して係合させるとともに、カム６５４による第２押圧子６３の押圧を補助する役割を果たすものである。
【０１３６】
第１押圧子６２の詳細が図１９に示されている。
【０１３７】
第１押圧子６２は、挿通されるファイバと平行な第１押圧面６２５ａを第１押圧子６２の最下端に臨ませてなる第１の押圧端部と、第１の押圧端部の上方にて同様にファイバと平行な第２の押圧面６２５ｂを下方に臨ませてなる第２押圧端部とを有する断面略Ｌ字状体として構成される。
【０１３８】
第１押圧子６２の上端面は、第１操作レバー６４のカム６４４に対応するカムフォロア６２４として機能する。このカムフォロア６２４の前半分、左右両側からは、その先端が後方に折れ曲がった一対の係止突起６２３ａ，６２３ｂが突出されており、この係止突起には、上述した操作レバー６４の爪部６４３（平坦面６４３ａ，６４３ｂ）が係合される。
【０１３９】
第１押圧面６２５ａには、ファイバの胴周形状に対応する半円弧状の溝６２６ａがその中央部に形成されており、この円弧状溝６２６ａがファイバＡ２に当接されて、ファイバＡ２を上方から押圧することとなる。すなわち、ファイバＡ２は、ホルダ５０内部において、この第１押圧子６２の円弧状溝６２６ａ（第１端部）と先に図１７に示した個別台部５１０ｂに設けられた円弧状溝５１２ｂとに挟持されることとなる。
【０１４０】
同様に、第２押圧面６２５ｂには、半円弧状の溝６２６ｂがその中央部に形成されており、この円弧状溝６２６ａが図１７に示されるファイバＡ１に当接されて、ファイバＡ１を上方から押圧することとなる。すなわち、ファイバＡ１は、ホルダ５０内部において、第１押圧子６２の円弧状溝６２６ｂ（第１端部）と先に図１７に示した個別台部５１０ａの円弧状溝５１２ａとに挟持されることとなる。
【０１４１】
尚、同図からも分かるように、第２実施形態においては、第１実施形態のときとは逆に、第１，第２押圧子共にそれぞれの第１端部は第２端部より前方側に位置している。
【０１４２】
第１押圧子６２の中央部開口は、円弧状溝６２６ｂ（第２押圧面６２５ｂ）に押圧されるファイバＡ１を上下方向への余裕を持たせつつ自身に挿通させるための押圧子側逃がし孔６２０ａであり、その内径（高さ幅）はファイバの直径より大きく設けられている。
【０１４３】
尚、押圧子側逃がし孔６２０ａの左側方（逃がし孔６２０ａを形成する押圧子壁の一部）には、ファイバＡ１，Ａ２を第１押圧子６２にて同時押圧する際、それら２本のファイバを隔てる押圧子壁が上方へと撓むように、切り欠き６２００が設けられている。
【０１４４】
尚、第１押圧面６２５ａ（円弧状溝６２６ａ）、並びに第２押圧面６２５ｂ（円弧状溝６２６ｂ）の奥行き（押圧子厚さ方向）は、それぞれ、図１７に示した個別台部５１０ｂ並びに５１０ａのそれぞれのファイバ支持面５１１ｂ並びに５１１ａの奥行き（厚さ方向）にほぼ等しく、また、第１端部と第２端部との段差（第１押圧面と第２押圧面との高さ位置の差）は、個別台部５１０ａと５１０ｂとの段差にほぼ等しい。したがって、ファイバＡ１とＡ２とを同時クランプする際、階段状支持台部５１と第１押圧子６２とは、互いの壁面を若干摺り合わせつつ適度に噛み合うようになっている。
【０１４５】
加えて、第１押圧子６２は、その横幅がホルダ５０の押圧子収容スペース５０４の横幅にほぼ等しく、そのため、ホルダ内においては第１押圧子６２は左右（センサケース２００連装方向）に揺動することなく安定した上下動作が可能とされている。
【０１４６】
第２押圧子６３は、挿通されるファイバと平行な第１押圧面６３５ａを第２押圧子６３の最下端に臨ませてなる第１の押圧端部と、第１の押圧端部の上方にて同様にファイバと平行な第２の押圧面６３５ｂを下方に臨ませて第２押圧端部とを有する縦長の断面略Ｌ字状体として構成される。
【０１４７】
第２押圧子６３の上端面は、第２操作レバー６５のカム６５４に対応するカムフォロア６３４として機能する。このカムフォロア６３４の前半分、左右両側からは、その先端が後方に折れ曲がった一対の係止突起６３３ａ，６３３ｂが突出されており、この係止突起には、上述した操作レバー６５の爪部６５３（平坦面６５３ａ，６５３ｂ）が係合される。
【０１４８】
第１押圧面６３５ａには、ファイバの胴周形状に対応する半円弧状の溝６３６ａがその中央部に形成されており、この円弧状溝６３６ａがファイバＢ２に当接されて、ファイバＢ２を上方から押圧することとなる。すなわち、ファイバＢ２は、ホルダ５０内部において、この第２押圧子６３の円弧状溝６３６ａ（第１端部）と先に図１７に示した個別台部５１０ｄに設けられた円弧状溝５１２ｄとに挟持されることとなる。
【０１４９】
同様に、第２押圧面６３５ｂには、半円弧状の溝６３６ｂがその中央部に形成されており、この円弧状溝６３６ａがファイバＢ１に当接されて、ファイバＢ１を上方から押圧することとなる。すなわち、ファイバＢ１は、ホルダ５０内部において、第２押圧子６３の円弧状溝６３６ｂ（第２端部）と先に図１７に示した個別台部５１０ｃの円弧状溝５１２ｃとに挟持されることとなる。
【０１５０】
第２押圧子６３には、３つの押圧子側逃がし溝６３０ａ，６３０ｂ，６３０ｃが設けられている。最も上に位置する逃がし孔６３０ａは、第１押圧子６２の逃がし孔６２０にも挿通されるファイバＡ１を、上下方向への余裕を持たせつつ自身（第２押圧子）に挿通させるための第１逃がし孔６３０ａであり、その下に位置する逃がし孔６３０ｂは、ファイバＡ２を上下方向への余裕を持たせつつ自身に挿通させるための第２逃がし孔６３０ｂであり、第１端部と第２端部との間の押圧子壁に設けられた逃がし孔６３０ｃは、円弧状溝６３６ｂ（第２押圧面６３５ｂ）に押圧されるファイバＢ１を上下方向への余裕を持たせつつ自身に挿通させるための第３逃がし孔６３０ｃであり、それら逃がし孔６３０ａ〜６３０ｃの内径（高さ幅）はファイバの直径より大きく設けられている。
【０１５１】
尚、第３逃がし孔６３０ｃの右側方（逃がし孔６３０ｃを形成する押圧子壁の一部）には、ファイバＢ１，Ｂ２を第２押圧子６３にて同時押圧する際、それら２本のファイバを隔てる押圧子壁が上方へと撓むように切り欠き６３００が設けられている。
【０１５２】
尚、第１押圧面６３５ａ（円弧状溝６３６ａ）、並びに第２押圧面６３５ｂ（円弧状溝６３６ｂ）の奥行き（押圧子厚さ方向）は、それぞれ、図１７に示した個別台部５１０ｄ並びに５１０ｃのそれぞれのファイバ支持面５１１ｄ並びに５１１ｃの奥行き（厚さ方向）にほぼ等しく、また、第１端部と第２端部との段差（第１押圧面と第２押圧面との高さ位置の差）は、個別台部５１０ｄと５１０ｃとの段差に等しい。したがって、ファイバＢ１とＢ２とを同時クランプする際、階段状支持台部５１と第２押圧子５３とは、互いの壁面を若干摺り合わせつつ適度に噛み合うようになっている。
【０１５３】
加えて、第２押圧子６３は、その横幅がホルダ５０の押圧子収容スペース５０４の横幅にほぼ等しく、そのため、ホルダ内においては第２押圧子は左右（センサケース２０連装方向）に揺動することなく安定した上下動作が可能とされている
【０１５４】
尚、この例では、第２押圧子６３の第１押圧面６３５ａの奥行きは、第１押圧面６３５ｂの奥行きとほぼ等しく設けられている。
【０１５５】
ホルダ５０に第１，第２操作レバー及び第１，第２押圧子を取り付けた場合におけるそれら各パーツの位置関係を図２０に示す。尚、同図中（ａ）には、ファイバクランプ解除状態時（操作レバー起立時）の様子が、同図中（ｂ）には、ファイバクランプ状態時（操作レバー倒時）の様子がそれぞれ描かれている。また、図２１は、図２０（ａ）における状態を模式的に示す斜視図である。
【０１５６】
第１押圧子６２と第２押圧子６３とは、第１押圧子を後方側、第２押圧子を前方側としてホルダ５０の押圧子収容スペース５０４内に互いに密接された状態で収容される。
【０１５７】
第１操作レバー６４は第１押圧子６２の上方に、第２操作レバー６５は第２押圧子の上方にて、それぞれの軸部６４１，６５１を異なる高さ位置（軸部６４１の位置の方が、軸部６５１の位置より高位置にある）において平行かつファイバ挿通方向に並べて、それぞれが回動可能に取り付けられる。
【０１５８】
第１押圧子６２の逃がし孔６２０ａと、第２押圧子６３の第１逃がし孔３３０ａとは、ほぼ同高さ位置で重なるように配置され、ファイバＡ１はそれら両押圧子に同時に挿通される。また、第２押圧子６３の第２逃がし孔６３０ｂの後部上方には、第１押圧子６２の第１円弧状溝６２６ａが位置している。
【０１５９】
また、ファイバＡ２は第２押圧子６３の第２逃がし孔６３０ｂに、ファイバＢ１は第３逃がし孔６３０ｃにそれぞれ挿通される。尚、この例では、ファイバＢ３は押圧子の逃がし孔には挿通されない。
【０１６０】
ファイバクランプ解除状態においては、操作レバー６４、６５は起立状態にある。この状態において、ファイバＡ１は、センサケース２０のファイバ挿通孔２００ａ、ホルダ５０のファイバ挿通孔５００ａ、第２押圧子６３の第１逃がし孔６３０ａ、第１押圧子６２の逃がし孔６２０ａ、階段状支持台部側逃がし孔５５０ａに挿通される。このとき、第１押圧子６２の第２円弧状溝６２６ｂと、その下方に位置する個別台部５１０ａの円弧状溝５１２ａとはファイバ一本分以上離れており、ファイバＡ１は、円弧状溝５１２ａにより簡略支持されている状態にある。尚、同図から、第１押圧子６２の逃がし孔６２０ａ、第２押圧子６３の逃がし孔６３０ａの高さ幅は、いずれもファイバＡ１より十分大きいことが確認される。
【０１６１】
ファイバＡ２は、センサケース２０のファイバ挿通孔２００ｂ、ホルダ５０のファイバ挿通孔５００ｂ、第２押圧子６３の第２逃がし孔６３０ｂ、階段状支持台部側逃がし孔５５０ｂに挿通される。このとき、第１押圧子６２の第１円弧状溝６２６ａと、その下方に位置する個別台部６１０ｂの円弧状溝６１２ｂとは十分離れており、ファイバＡ２は、円弧状溝６１２ｂにより簡略支持されている。尚、同図から、第２押圧子６３の第２逃がし孔６３０ｂの高さ幅は、ファイバＡ２より十分大きいことが確認される。
【０１６２】
ファイバＢ１は、センサケース２０のファイバ挿通孔２００ｃ、ホルダ５０のファイバ挿通孔５００ｃ、第２押圧子６３の第３逃がし孔６３０ｃ、階段状支持台部側逃がし孔５５０ｃに挿通される。このとき、第２押圧子６３の第２円弧状溝６３６ｂと、その下方に位置する個別台部５１０ｃの円弧状溝６１２ｃとはファイバ一本分以上離れており、ファイバＢ１は、円弧状溝６１２ｃの内壁下面により簡略支持されている。尚、同図から、第２押圧子６３の逃がし孔６３０ｃの高さ幅は、ファイバＢ１より十分大きいことが確認される。
【０１６３】
ファイバＢ２は、センサケース２０のファイバ挿通孔２００ｄ、ホルダ５０のファイバ挿通孔３００ｄ、階段状支持台部側逃がし孔５５０ｄに挿通される。このとき、第１押圧子６２の第１円弧状溝６２６ａと、その下方に位置する個別台部５１０ｄの円弧状溝６１２ｄとは十分離れており、ファイバＢ２は、円弧状溝６１２ｄ内壁下面により簡略支持されている。尚、同図から、第２押圧子６３の逃がし孔６３０ｂの高さ幅は、ファイバＢ２より十分大きいことが確認される。
【０１６４】
次に、図２０（ａ）に示した状態（ファイバクランプ解除状態）から、操作レバー６４、６５をそれぞれ前方に倒すと、図２０（ｂ）に示されるように、ファイバ２は各組（Ａ組、Ｂ組）毎にクランプされる。尚、図２２は、操作レバー６４，６５を共に倒した状態の操作レバーと押圧子との位置関係を示す模式的斜視図である。
【０１６５】
詳細には、操作レバー６４を前方へ倒すと、カム６４４を介して第１押圧子６２が押し下げられ、これにより、第１押圧子６２の第２円弧状溝６２６ｂとその下方に位置する個別台部５１０ａに設けられた円弧状溝５１２ａとの距離、並びに、第１押圧子６２の第１円弧状溝６２６ａとその下方に位置する個別台部５１０ｂに設けられた円弧状溝５１２ｂとの距離が同時に縮められる。
【０１６６】
そのため、ファイバＡ１は、第１押圧子６２の第２円弧状溝６２６ｂとその下方に位置する円弧状溝５１２ａとにより上下方向からそれぞれ押圧され、これにより、クランプ状態（ファイバを引っ張っても、センサケース２０から抜け出ない状態）となる。尚、このとき、ファイバＡ１には、第１押圧子の逃がし孔６２０ａ及び第２押圧子の第１逃がし孔６３０ａの内壁上面が接触しているが、ファイバＡ１への押圧力には直接は影響していない。
【０１６７】
同様に、ファイバＡ２は、第１押圧子６２の第１円弧状溝６２６ａとその下方に位置する円弧状溝５１２ｂとにより上下方向からそれぞれ押圧され、これにより、クランプ状態（ファイバを引っ張っても、センサケース２０から抜け出ない状態）となる。尚、このとき、ファイバＡ２には、第２押圧子の第２逃がし孔６３０ｂの内壁上面が接触しているが、ファイバＡ２への押圧力には直接影響していない。
【０１６８】
このように、チャンネルＡで使用されるファイバ組Ａ１，Ａ２は、第１操作レバー６４の操作により、第１押圧子６２を介して同時にクランプ・解除される。
【０１６９】
また、第２操作レバー６５を前方へ倒すと、カム６５４を介して第２押圧子６３が押し下げられ、これにより、第２押圧子６３の第２円弧状溝６３６ｂとその下方に位置する個別台部５１０ｃに設けられた円弧状溝５１２ｃとの距離、並びに、第２押圧子６３の第１円弧状溝６３６ａとその下方に位置する個別台部５１０ｄに設けられた円弧状溝５１２ｄとの距離が同時に縮められる。
【０１７０】
そのため、ファイバＢ１は、第２押圧子６３の第２円弧状溝６３６ｂとその下方に位置する円弧状溝５１２ｃとにより上下方向からそれぞれ押圧され、これにより、クランプ状態（ファイバを引っ張っても、センサケース２０から抜け出ない状態）となる。尚、このとき、ファイバＢ１には、第２押圧子６３の第３逃がし孔６２０ｃの内壁上面が接触しているが、ファイバＢ１への押圧力には直接影響していない。
【０１７１】
同様に、ファイバＢ２は、第２押圧子６３の第１円弧状溝６３６ａとその下方に位置する円弧状溝５１２ｄとにより上下方向からそれぞれ押圧され、これにより、クランプ状態（ファイバを引っ張っても、センサケース２０から抜け出ない状態）となる。
【０１７２】
このように、チャンネルＢで使用されるファイバ組Ｂ１，Ｂ２は、第２操作レバー６５の操作により、第２押圧子６３を介して同時にクランプ・解除される。
【０１７３】
尚、上記第２実施形態においては、図２０からも分かるように、第１操作レバーを倒した状態においては、第２操作レバーのみを起立させることができない（操作レバー同士が干渉してしまうため）。これは、第２実施形態においては、各操作レバー６４，６５のアーム部先端に階段状の滑り止め加工６４２ａを設けていることからも分かるように、操作レバーの操作性（指を引っかけやすい等）を重視してアーム部を長く設けた結果であり、例えば、アーム部を短くして相互干渉（接触）を排除し、各操作レバーを完全独立して別個に動作させるようにすることも可能である。
【０１７４】
上記第２実施形態によれば、操作レバーは一種のみ用意すればよいから、操作レバーの製作に係る費用を削減することができる。このことは、特に、一体の光電センサに引き込まれるファイバ組数が増加した場合に顕著となる。加えて、いずれかの操作レバーの紛失・故障発生時等にも、同一のスペアで対応できるから便利である。
【０１７５】
更に、第２実施形態によれば、操作レバー６４，６５のいずれも、そのアーム部先端が前方に向けられ、かつ、後方側に位置する第１操作レバー６４のアーム部先端位置が前方側に位置する第２操作レバー６５のアーム部先端位置より高く取り付けられているから、第１操作レバーの先端が第２操作レバーに隠されることがなく、操作時における操作レバーへの指の引っ掛け等が容易となる。
【０１７６】
尚、上記第１、第２実施形態は、いずれもファイバ４本を２本ずつ纏めてクランプするものとしたが、ファイバ挿入本数、同時クランプ本数等はこれに限定されない。例えば、ファイバ１０本を１つのセンサケースに引き込み、これを４つの押圧子を使用して、１本，２本，３本，４本（計１０本）、といった組み合わせでそれぞれ別個に同時クランプするようにするといった改良は、上記実施形態を参照すれば当業者であれば容易に実現可能であろう。
【０１７７】
【発明の効果】
以上の説明で明らかなように、本発明によれば、ケースの高さ方向に適当な間隔を隔てて引き込まれる複数本のファイバを適宜に分割して別個にクランプ可能としたファイバ型光電センサのファイバ固定構造が実現される。
【図面の簡単な説明】
【図１】  本発明が適用されたファイバ型光電センサを示す斜視図である。
【図２】  本発明が適用されたクランプ機構（ファイバ固定構造）の全体構成を示す分解斜視図である。
【図３】  第１実施形態における階段状支持台部の詳細を示す図である。
【図４】  本発明の要部となる操作レバー、押圧子、階段状支持台部を同時に示す図である。
【図５】  第１実施形態に係る第１押圧子の詳細を示す図である。
【図６】  第１実施形態に係る第２押圧子の詳細を示す図である。
【図７】  操作レバー、押圧子及びファイバの取り付け位置関係を示す図である。
【図８】  ファイバクランプ解除状態におけるクランプ機構の様子を模式的に示した図である。
【図９】  ファイバクランプ解除状態におけるクランプ機構の様子を模式的に示した斜視図である。
【図１０】  ファイバクランプ状態におけるクランプ機構の様子を模式的に示した図である。
【図１１】  ファイバクランプ状態におけるクランプ機構の様子を模式的に示した斜視図である。
【図１２】  本発明の別実施形態（改良例）を示す図（その１）である。
【図１３】  本発明の別実施形態（改良例）を示す図（その２）である。
【図１４】  本発明の別実施形態（改良例）を示す図（その３）である。
【図１５】  本発明の別実施形態（改良例）を示す図（その４）である。
【図１６】  本発明の第２実施形態が適用されたクランプ機構（ファイバ固定構造）の全体構成を示す分解斜視図である。
【図１７】  第２実施形態における階段状支持台部の詳細を示す図である。
【図１８】  第２実施形態における操作レバーの詳細を示す図である。
【図１９】  第２実施形態における押圧子の詳細を示す図である。
【図２０】  第２実施形態におけるファイバクランプ状態およびファイバクランプ解除状態におけるクランプ機構の様子を模式的に示した図である。
【図２１】  第２実施形態におけるファイバクランプ解除状態におけるクランプ機構の様子を模式的に示した斜視図である。
【図２２】  第１と第２の操作レバーを共に倒した状態の操作レバーと押圧子との位置関係を示す模式的斜視図である。
【図２３】  従来のファイバ型光電センサの設置態様を示す図である。
【図２４】  複数組のファイバ挿通孔を１つのセンサケースに横並びに設けて複数組のファイバを一括収容するようにしたファイバ型光電センサの一例を示す図である。
【符号の説明】
１        ファイバ型光電センサ
２        光ファイバ
３        クランプ機構
４        ＤＩＮレール
１０      センサケース
１１      ＤＩＮレール嵌合溝
１２      電気コード
１３      電源供給用多連装コネクタ
１４      表示部
１５      操作部
１６      光通信用窓
２０      センサケース
３０      ホルダ
３１      階段状支持台部
３２      第１押圧子
３３      第２押圧子
３４      第１操作レバー
３５      第２操作レバー
５０      ホルダ
５１      階段状支持台部
６２      第１押圧子（後方側）
６３      第２押圧子（前方側）
６４      第１操作レバー
６５      第２操作レバー
１００    ファイバ挿通孔
１０１    ファイバ取り付け面（センサケース前端面）
１０２    電気コード取り付け面（センサケース後端面）
１１１，１１２    ケース側枢支溝
１１３    レールスライド溝
１１４    ホルダ収容スペース
１２０    信号線
２００    ファイバ挿通孔
２０１    ファイバ取り付け面
２１３    支持柱
２１４    ホルダ収容スペース
３００    支持台部側逃がし孔
３０１，３０２    軸部ガイド溝
３０３    取り付けレール
３０４    押圧子収容スペース
３１０    個別台部
３１１    ファイバ支持面
３１２    円弧状溝
３２０，３３０    押圧子側逃がし孔
３２３，３３３    係止突起
３２４，３３４    カムフォロア
３２５，３３５    押圧端部
３２６，３３６    円弧状溝（押圧面）
３４１，３５１    軸部
３４２，３５２    アーム
３４３，３５３    爪部
３４４，３５４    カム
５００    ホルダ側挿通孔
５０１，５０２    軸部ガイド溝
５０３    取り付けレール
５０４    押圧子収容スペース
５１０    個別台部
５１１    ファイバ支持面
５１２    円弧状溝
５５０    支持台部側逃がし孔
６２０，６３０  押圧子側逃がし溝
６２３，６３３  係止突起
６２５ａ，６３５ａ  第１押圧面
６２５ｂ，６３５ｂ  第２押圧面
６２３，６３３  係止突起
６２４，６３４  カムフォロア
６２６，６３６  円弧状溝
６３７    上壁底面部
６３８    円弧状溝
６４１，６５１    軸部
６４２，６５２  アーム部
６４３ａ，ｂ  ６５３ａ，ｂ  爪部の平坦面
６４３，６５３  爪部
６４４，６５４  カム
６４４ａ，６５５ａ  カムの外周面
６４６，６５６  薄板状突起
７００    操作レバーのアーム部
８００    操作レバーの軸部
３２００，３３００  切り欠き
６２００，６３００  切り欠き
Ａ２，Ａ１      チャンネルＡのファイバ組
Ｂ２，Ｂ１      チャンネルＢのファイバ組
【図１】
0003956100.tif 000002
【図２】
0003956100.tif 000003
【図３】
0003956100.tif 000004
【図４】
0003956100.tif 000005
【図５】
0003956100.tif 000006
【図６】
0003956100.tif 000007
【図７】
0003956100.tif 000008
【図８】
0003956100.tif 000009
【図９】
0003956100.tif 000010
【図１０】
0003956100.tif 000011
【図１１】
0003956100.tif 000012
【図１２】
0003956100.tif 000013
【図１３】
0003956100.tif 000014
【図１４】
0003956100.tif 000015
【図１５】
0003956100.tif 000016
【図１６】
0003956100.tif 000017
【図１７】
0003956100.tif 000018
【図１８】
0003956100.tif 000019
【図１９】
0003956100.tif 000020
【図２０】
0003956100.tif 000021
【図２１】
0003956100.tif 000022
【図２２】
0003956100.tif 000023
【図２３】
0003956100.tif 000024
【図２４】
0003956100.tif 000025